(57)【要約】【課題】電池蓋の脱落防止を図りうる構成を、部品点数を抑え、かつ複雑な構成を用いることなく実現する。【解決手段】携帯端末１の本体部１０は、電池蓋２０の一端側と係合する係合部１３と、外部操作に応じて係合部１３を変位させ、当該係合部１３と電池蓋２０との係合を解除する解除操作部１５とを備えている。また、電池蓋２０は、係合部１３との係合側とは反対側の端部に突出部２１が設けられ、この突出部２１が本体部１０に形成された孔部１７と嵌合する構成をなしている。また、突出部２１には、弾性変形部２２が形成されており、解除操作部１５によって係合解除がなされたとき、突出部２１と孔部１７との嵌合が少なくとも一部において維持された状態で電池蓋２０が一端側から開放し、かつその開放途中において、突出部２１に形成された弾性変形部２２が孔部１７内壁と当接し、電池蓋２０が本体部１０に仮保持されるようになっている。【選択図】図１
2008262782.tif 000002
【特許請求の範囲】
【請求項１】
電池を収容する収容部を備えた本体部に、前記収容部を閉塞する電池蓋が着脱可能とされた携帯端末であって、
前記本体部は、
前記電池蓋の一端側と係合する係合部と、
外部操作に応じて前記係合部を変位させ、当該係合部と前記電池蓋との係合を解除する解除操作部と、
を備え、
前記電池蓋は、
前記一端側とは反対側の端部に設けられ、前記本体部に形成された被嵌合部と嵌合する嵌合部を有し、
前記嵌合部及び前記被嵌合部のいずれか一方には弾性変形部が形成されており、
前記解除操作部によって係合解除がなされたとき、前記嵌合部と前記被嵌合部との嵌合が少なくとも一部において維持された状態で前記電池蓋が前記一端側から開放し、かつその開放途中において、前記一方に形成された前記弾性変形部が他方と当接し、前記電池蓋が前記本体部に仮保持されること特徴とする携帯端末。
【請求項２】
前記嵌合部は、前記反対側の端部にて突出して設けられた突出部からなり、
前記被嵌合部は、前記突出部と嵌合する孔部からなり、
前記弾性変形部は、前記突出部の少なくとも外郭部の一部をなしており、
前記解除操作部によって解除操作がなされたとき、前記突出部の一部が前記孔部内に納まった状態で前記電池蓋が前記一端側から開放し、かつその開放途中において、前記突出部に形成された前記弾性変形部が前記孔部の内壁と当接し、前記電池蓋が前記本体部に仮保持されることを特徴とする請求項１に記載の携帯端末。
【請求項３】
前記孔部の内壁には、凹部が形成されており、
前記弾性変形部は、前記凹部側に突出する凸部を備え、
前記電池蓋が前記一端側から開放した際に、前記凸部が前記凹部によって係止されることで前記電池蓋が前記本体部に仮保持されることを特徴とする請求項２に記載の携帯端末。    
【請求項４】
前記弾性変形部は、電池蓋本体と一体形成された突出基部に対して弾性材を二重成形したものであることを特徴とする請求項２又は請求項３に記載の携帯端末。
【請求項５】
前記仮保持状態から、前記電池蓋に対し前記弾性変形部を弾性変形させる離脱操作がなされることで仮保持が解除されることを特徴とする請求項１から請求項４のいずれか一項に記載の携帯端末。
【発明の詳細な説明】
【技術分野】
【０００１】
本発明は、携帯端末に関するものである。
【背景技術】
【０００２】
従来より、携帯用電子機器の分野において、電池蓋に関する技術が提供されている。例えば、特許文献１の開閉機構では、筐体に回動部材が回動自在に支持されており、この回動部材に蓋部材がスライド自在に組み合わされることで蓋部材の脱落を防止しようとする技術が開示されている。また、特許文献２では、電池蓋をスライドさせて開こうとした場合に電池蓋の内部と干渉する脱落防止部を設けた構成が開示されている。
【特許文献１】特開平７−２３２７５４号公報
【特許文献２】特開平８−３２９９１８号公報
【発明の開示】
【発明が解決しようとする課題】
【０００３】
ところで、上記特許文献１、特許文献２の技術では、いずれも電池蓋を装着する本体部に脱落防止のための特別な構造を設けているため、部品点数や構成の簡素化の点で問題となる。また、本体部側に回動部材（特許文献１）や、脱落防止部（特許文献２）などの特別な構造を配置すると、本体部側にこのような特別構造のためのスペースを大きく割かなければならず、本体部の小型化等を阻害する要因ともなりうる。
【０００４】
本発明は、上述した課題を解決するためになされたものであり、電池蓋の脱落防止を図りうる構成を、部品点数を抑え、かつ複雑な構成を用いることなく実現することを目的とする。
【課題を解決するための手段】
【０００５】
上記目的を達成するため、請求項１の発明は、電池を収容する収容部を備えた本体部に、前記収容部を閉塞する電池蓋が着脱可能とされた携帯端末であって、前記本体部が、前記電池蓋の一端側と係合する係合部と、外部操作に応じて前記係合部を変位させ、当該係合部と前記電池蓋との係合を解除する解除操作部と、を備えており、前記電池蓋が、前記一端側とは反対側の端部に設けられ、前記本体部に形成された被嵌合部と嵌合する嵌合部を有しており、さらに、前記嵌合部及び前記被嵌合部のいずれか一方には弾性変形部が形成されており、前記解除操作部によって係合解除がなされたとき、前記嵌合部と前記被嵌合部との嵌合が少なくとも一部において維持された状態で前記電池蓋が前記一端側から開放し、かつその開放途中において、前記一方に形成された前記弾性変形部が他方と当接し、前記電池蓋が前記本体部に仮保持されること特徴とするものである。
【０００６】
請求項２の発明は、請求項１に記載の携帯端末において、前記嵌合部が、前記反対側の端部にて突出して設けられた突出部からなり、前記被嵌合部が、前記突出部と嵌合する孔部からなり、前記弾性変形部が、前記突出部の少なくとも外郭部の一部をなしており、前記解除操作部によって解除操作がなされたとき、前記突出部の一部が前記孔部内に納まった状態で前記電池蓋が前記一端側から開放し、かつその開放途中において、前記突出部に形成された前記弾性変形部が前記孔部の内壁と当接し、前記電池蓋が前記本体部に仮保持されることを特徴とするものである。
【０００７】
請求項３の発明は、請求項２に記載の携帯端末において、前記孔部の内壁には、凹部が形成されており、前記弾性変形部は、前記凹部側に突出する凸部を備え、前記電池蓋が前記一端側から開放した際に、前記凸部が前記凹部によって係止されることで前記電池蓋が前記本体部に仮保持されることを特徴とするものである。
【０００８】
請求項４の発明は、前記弾性変形部が、電池蓋本体と一体形成された突出基部に対して弾性材を二重成形したものであることを特徴とするものである。
【０００９】
請求項５の発明は、請求項１から請求項４のいずれか一項に記載の携帯端末において、前記仮保持状態から、前記電池蓋に対し前記弾性変形部を弾性変形させる離脱操作がなされることで仮保持が解除されることを特徴とする。
【発明の効果】
【００１０】
請求項１の発明では、解除操作部によって係合解除がなされたとき、電池蓋が解除操作部側から開放すると共に、解除操作部の反対側において、嵌合部及び被嵌合部のいずれか一方に形成された弾性変形部が他方と当接し、電池蓋が本体部に仮保持されるようになっている。従って、電池蓋の開放操作を容易に行うことができ、かつ開放途中において電池蓋を脱落させずに仮保持し得る構成を、複雑な構成を用いることなく簡易に実現できる。
【００１１】
請求項２の発明は、解除操作部によって解除操作がなされたとき、嵌合部として構成される突出部の一部が、被嵌合部として構成される孔部内に納まった状態で電池蓋が一端側から開放する構成を採用している。従って、電池蓋の閉塞時に安定的な保持がなされ、かつ解除操作に伴って電池蓋を若干開放させうる構成を簡易かつ好適に実現できる。また、開放途中において突出部に形成された弾性変形部と孔部の内壁とが当接する構成を採用しているため、電池蓋の仮保持が簡易な構成で効果的に実現される。
【００１２】
請求項３の発明は、仮保持の際に、突出部に形成された凸部が孔部に形成された凹部によって係止されるため、より安定的な仮保持が可能となる。
【００１３】
請求項４の発明では、電池蓋本体と一体形成された突出基部に対して弾性材を二重成形して弾性変形部を構成しているため、弾性変形部を安定的かつ位置精度よく配することができる。
【００１４】
請求項５の発明では、電池蓋に対し弾性変形部を弾性変形させる離脱操作がなされることで仮保持が解除されるようになっているため、離脱操作も容易に行うことができる。また、この構成によれば、操作によって仮保持を容易に解除させうる構成を簡易に実現できる。
【発明を実施するための最良の形態】
【００１５】
[第１実施形態]
以下、本発明の携帯端末を具現化した第１実施形態について、図面を参照して説明する。
図１は、第１実施形態に係る携帯端末１の要部を概略的に示すものであり、図２は、図１の携帯端末１における突出部２１及び孔部１７付近を拡大して示す拡大図である。図３は、電池蓋２０の開放の様子を説明する説明図であり、図３（ａ）は、仮保持状態を示す図であり、図３（ｂ）は、仮保持状態から更に変位させて仮保持を解除する様子を説明する説明図である。
【００１６】
携帯端末１は、携帯型の光学的情報読取装置（例えばバーコードリーダや二次元コードリーダ等）などとして構成されるものであり、本体部１０内に一次電池や二次電池等の電池３０が電源として収容される構成となっている。なお、携帯端末１が光学的情報読取装置として構成される場合には、本体部１０内に、照明光源、受光センサ、結像レンズ等の光学系と、メモリ、ＣＰＵ、液晶表示器等のマイクロコンピュータ系と、電池等の電源系とが収容されることとなる。
【００１７】
図１に示すように、携帯端末１は、電池３０を収容する収容部１１を備えた本体部１０に、電池蓋２０が着脱可能とされており、この電池蓋２０の装着により収容部１１が閉塞される構成をなっている。なお、収容部１１は、電池蓋２０側が開放する箱状形態をなしており、電池３０の外面（電池蓋２０側の外面を除く）と対向する複数の壁部１１ａ，１１ｂ，１１ｃによって構成されている。
【００１８】
本体部１０は、爪部として構成される係合部１３と、この係合部１３と連動する解除操作部１５とを備えている。係合部１３は、電池蓋２０の装着時に、電池蓋２０の一端側に形成された被係合部（具体的には電池蓋２０の一端側に形成された窪み部２４）と係合するものである。また、解除操作部１５は、係合部１３と一体的に構成されており、外部操作に応じて係合部１３を変位させるものである。解除操作部１５は弾性ばねからなる付勢部材１６によって電池蓋２０側に付勢されており、非操作状態では図１に示す位置に保持される。一方、解除操作部１５に対して電池蓋２０側から遠ざける外部操作がなされた場合（矢印Ｆ１側に変位させる外部操作がなされた場合）、その外部操作１３に応じて係合部１３が変位して窪み部２４から離脱し、これにより当該係合部１３と電池蓋２０との係合が解除されることとなる。
【００１９】
電池蓋２０は、一端側に上述の窪み部２４（被係合部）が設けられ、他端側に突出部２１が設けられている。また窪み部２４と突出部２１の間には、電池３０を閉塞する板状部分２５が設けられている。窪み部２４は、閉塞時に係合部１３側に開口する構成をなしている。また、突出部２１は、「嵌合部」の一例に相当するものであり、一端側（係合部１３側）とは反対側の端部において、窪み部２４とは反対側に突出して設けられている。なお、突出部２１の突出の向きは、板状部分２５の板面とほぼ平行な向きとされている。この突出部２１は、電池蓋２０の装着時（図１に示す閉塞時）に本体部１０に形成された孔部１７（孔部１７は、「被嵌合部」の一例に相当する）と嵌合する構成をなしている。
【００２０】
本体部１０に形成された孔部１７は、図１に示す電池蓋２０の装着時に、突出部１７の向きとほぼ同方向となるような孔が形成されている。図２に示すように、孔部１７は、電池蓋２０が装着されたときに、突出部２１の外壁面と孔部１７の内壁面との間に隙間が構成されるサイズとされている。この構成では、図２に示す電池蓋２０の装着時に、突出部２１の外壁面の一部２１ａと孔部１７の内壁面の一部１７ａとが当接し、その当接側とは反対側に隙間が構成されるようになっている。
【００２１】
また、電池蓋２０において突出部２１よりも中央側の位置に、閉塞時に本体部１０の壁面（詳しくは、電池蓋２０側に臨む壁面１９）と当接する弾性当接部２７が設けられている。弾性当接部２７は、後述する弾性変形部２２における外面（詳しくは、孔部１７の内壁面と対向する側の外面２２ａ）よりも突出して形成されており、弾性当接部２７による壁面１９との当接、及び突出部２１による内壁面の一部１７ａとの当接により、図２に示す嵌合状態で保持されることとなる。
【００２２】
電池蓋２０に形成された突出部２１には、ゴム材料或いはゴム材料以外のエラストマー等からなる弾性変形部２２が、当該突出部２１の外郭部の一部として形成されている。弾性変形部２２は、樹脂材料などからなる基部２３に接着剤等を用いて取り付けられており、これら弾性変形部２２及び基部２３によって突出部２１が構成されている。なお、弾性変形部２２は、基部２３に二重成形などによって取り付けられていてもよい。
【００２３】
このように構成される本体部１０及び電池蓋２０は、解除操作部１５によって係合解除がなされたとき、係合部１３と窪み部２４との係合が解除され、図３（ａ）に示すように、突出部２１と孔部１７との嵌合が少なくとも一部において維持された状態（具体的には、図３（ａ）に示すように、突出部２１の一部が孔部１７内に納まった状態）で、電池蓋２０が一端側（解除操作部１５側）から開放する（図１の二点鎖線２０’も参照）。なお、閉塞時には突出部２１側の弾性当接部２７及び反対側の弾性当接部２９が圧縮される形態で弾性変形しており、この弾性当接部２７，２９の弾性復帰力により一端側から容易に開放するようになっている。また、電池蓋２０の開放は、孔部１７の端部Ｐ１を支点として電池蓋２０全体が回動する態様でなされる。端部Ｐ１を支点として電池蓋２０が回動すると、突出部２１の移動経路には孔部１７の内壁が存在するため、その開放途中において、突出部２１に形成された弾性変形部２２と孔部１７の内壁（具体的には一部１７ａとは反対側部分１７ｂ）とが当接し、電池蓋２０が本体部１０に仮保持されることとなる。
【００２４】
図３（ａ）に示す仮保持状態から、図３（ｂ）のように電池蓋２０に対し弾性変形部２２を弾性変形させる離脱操作を行うことで仮保持が解除できることとなる。具体的には、電池蓋２０を孔部１７とは反対側に移動（矢印Ｆ２方向に移動）させつつ、弾性変形部２２を強制的に弾性変形させる更なる回動（矢印Ｆ３方向に回動）を行うことで、図３（ｂ）のように電池蓋２０を本体部１０から離脱できることとなる。
【００２５】
なお、本実施形態では、図２に示すように、電池蓋２０における突出部２１寄りの位置に、壁面１９側に立ち上がる壁部２８が形成されており、電池蓋２０の装着時にこの壁部２８の壁面２８ａと電池３０とが対向するようになっている。そして、壁部２８ａと電池３０との幅Ｗ１が、突出部２１における孔部１７に挿入される部分の幅Ｗ２よりも狭くなっているため、仮保持の際、単に電池蓋２０が孔部１７とは反対側にスライドしても、壁面２８ａと電池３０とが当接するため突出部２１が孔部１７から抜けないようになっている。つまり、図３（ｂ）のように、矢印Ｆ２方向の移動と、矢印Ｆ３方向の回動とが組み合わされることで電池蓋２０の離脱が可能となる構成であるため、安定的な仮保持が可能となる。
【００２６】
以上のように、本実施形態の構成によれば、解除操作部１５によって係合解除がなされたとき、電池蓋２０が解除操作部１５側から開放すると共に、解除操作部１５の反対側において、突出部２１に形成された弾性変形部２２が孔部１７と当接し、電池蓋２０が本体部１０に仮保持されるようになっている。従って、電池蓋２０の開放操作を容易に行うことができ、かつ開放途中において電池蓋２０を脱落させずに仮保持し得る構成を、複雑な構成を用いることなく簡易に実現できる。
【００２７】
また、解除操作部１５によって解除操作がなされたとき、突出部２１の一部が、孔部１７内に納まった状態で電池蓋２０が一端側から開放する構成を採用している。従って、電池蓋２０の閉塞時に安定的な保持がなされ、かつ解除操作に伴って電池蓋２０を若干開放させうる構成を簡易かつ好適に実現できる。また、開放途中において突出部２１に形成された弾性変形部２２と孔部１７の内壁とが当接する構成を採用しているため、電池蓋２０の仮保持が簡易な構成で効果的に実現される。
【００２８】
また、電池蓋２０に対し弾性変形部２２を弾性変形させる離脱操作がなされることで仮保持が解除されるようになっているため、離脱操作も容易に行うことができる。また、この構成によれば、操作によって仮保持を容易に解除させうる構成を簡易に実現できる。
【００２９】
［第２実施形態]
次に第２実施形態について説明する。なお、図４は、第２実施形態の携帯端末における突出部１２１及び孔部１１７付近を拡大して示す拡大図である。図５は、第２実施形態における電池蓋２０の開放の様子を説明する説明図であり、図５（ａ）は、仮保持状態を示す図であり、図５（ｂ）は、仮保持状態から更に変位させて仮保持を解除する様子を説明する説明図である。
【００３０】
本実施形態の携帯端末１００は、突出部１２１及び孔部１１７の構成のみが第１実施形態の突出部２１及び孔部１７と異なり、他の構成は第１実施形態と同様である。よって同様の構成については第１実施形態と同一の符号を付し、詳細な説明は省略すると共に、同様の構成については適宜図１を引用して説明する。また、以下においては、異なる部分について重点的に説明することとする。
【００３１】
本実施形態の携帯端末１００でも、電池３０を収容する収容部１１を備えた本体部１０に、収容部１１を閉塞する電池蓋２０が着脱可能とされており、本体部１０には、電池蓋２０の一端側と係合する係合部１３（図１）と、外部操作に応じて係合部１３を変位させ、当該係合部１３と電池蓋２０との係合を解除する解除操作部１５（図１）とが設けられている。
【００３２】
電池蓋２０は、係合部１３（図１）と係合する一端側とは反対側の端部に突出部１２１（突出部１２１は嵌合部の一例に相当する）が設けられ、本体部１０に形成された孔部１１７（孔部１１７は被嵌合部の一例に相当する）と嵌合する構成をなしている。
【００３３】
図４に示すように、孔部１１７は、電池蓋２０が装着されたときに、突出部１２１の外壁面と孔部１１７の内壁面との間に隙間が構成される形状とされている。この構成では、図４に示す電池蓋２０の装着時に、突出部１２１の外壁面の一部１２１ａと孔部１１７の内壁面の一部１１７ａとが当接し、その当接側とは反対側に隙間が構成されるようになっている。
【００３４】
本実施形態でも電池蓋２０において突出部１２１よりも中央側の位置に、閉塞時に本体部１０の壁面（詳しくは、電池蓋２０側に臨む壁面１９）と当接する弾性当接部２７が設けられている。そして、弾性当接部２７による壁面１９との当接、及び突出部１２１による内壁面の一部１１７ａとの当接により、図４に示す嵌合状態で保持されることとなる。  
【００３５】
また、突出部１２１には、ゴム材料或いはゴム材料以外のエラストマー等からなる弾性変形部１２２が、当該突出部１２１の外郭部の一部として形成されている。弾性変形部１２２は、樹脂材料などからなる基部１２３に接着剤等を用いて取り付けられており、これら弾性変形部１２２及び基部１２３によって突出部１２１が構成されている。なお、弾性変形部１２２は、基部１２３に二重成形などによって取り付けられていてもよい。
【００３６】
この構成において、解除操作部１５（図１）によって解除操作がなされたとき、図５（ａ）に示すように、突出部１２１の一部が孔部１１７内に納まった状態で電池蓋２０が一端側（係合部１３側）から開放し、かつその開放途中において、突出部１２１に形成された弾性変形部１２２が孔部１１７の内壁と当接し、電池蓋２０が本体部１０に仮保持される。
【００３７】
本実施形態では、孔部１１７の内壁には凹部１１８が形成されており、弾性変形部１２２には、凹部１１８側に突出する凸部１２２ａが形成されている。図５（ａ）のように電池蓋２０が一端側から開放した際には、凸部１２２ａが凹部１１８内に進入すると共にこの凹部１１８の壁部に当接し、この凹部１１８によって係止されることで電池蓋２０が本体部１０に仮保持される。
【００３８】
図４に示す閉塞状態からの電池蓋２０の開放は、孔部１１７の端部Ｐ２を支点として電池蓋２０全体が回動する態様でなされる。端部Ｐ２を支点として電池蓋２０が回動すると、突出部１２１の移動経路には凹部１１８が存在するため、その開放途中において、突出部１２１に形成された弾性変形部１２２の凸部１２２ａが凹部１１８に進入して凸部１２２ａが凹部１１８内の壁部１１８ａに当接し、電池蓋２０が本体部１０に仮保持されることとなる。なお、電池蓋２０が若干回動した後、突出部１２１を孔部１１７から引き出すように電池蓋２０を操作すれば、図５（ａ）のような係止状態となる。
【００３９】
図５（ａ）に示す仮保持状態から、図５（ｂ）のように電池蓋２０に対し弾性変形部１２２を弾性変形させる離脱操作を行うことで仮保持を解除できる。具体的には、突出部１２１を孔部１１７から引き出し、かつ凸部１２２ａを凹部１１８から引き出すように電池蓋２０を引っ張り、凸部１２２ａを強制的に弾性変形させて係止を解除することにより、図５（ｂ）のように電池蓋２０を本体部１０から離脱できることとなる。
【００４０】
以上のように、本実施形態でも、第１実施形態と同様の効果が得られ、更に、仮保持の際に、突出部１２１に形成された凸部１２２ａが孔部１１７に形成された凹部１１８によって係止されるため、より安定的な仮保持が可能となる。
【００４１】
［第３実施形態]
次に第３実施形態について説明する。図６は、第３実施形態の携帯端末における突出部２２１及び孔部１１７付近を拡大して示す拡大図である。
本実施形態の携帯端末２００は、突出部２２１及び孔部１１７の構成のみが第１実施形態の突出部２１及び孔部１７と異なり、他の構成は第１実施形態と同様である。よって同様の構成については第１実施形態と同一の符号を付し、詳細な説明は省略すると共に、同様の構成については適宜図１を引用して説明する。なお、孔部１１７は、第２実施形態と同一形状であるので、孔部１１７については第２実施形態と同一の符号を付し詳細な説明は省略することとする。
【００４２】
本実施形態の携帯端末２００でも、電池３０を収容する収容部１１を備えた本体部１０に、収容部１１を閉塞する電池蓋２０が着脱可能とされており、本体部１０には、電池蓋２０の一端側と係合する係合部１３（図１）と、外部操作に応じて係合部１３を変位させ、当該係合部１３と電池蓋２０との係合を解除する解除操作部１５（図１）とが設けられている。
【００４３】
電池蓋２０は、係合部１３（図１）が設けられた一端側とは反対側の端部に突出部２２１（突出部２２１は嵌合部の一例に相当する）が設けられ、本体部１０に形成された孔部１１７（孔部１１７は被嵌合部の一例に相当する）と嵌合する構成をなしている。
【００４４】
図６に示すように、孔部１１７は、電池蓋２０が装着されたときに、突出部２２１の外壁面と孔部１１７の内壁面との間に隙間が構成される形状とされている。この構成では、図６に示す電池蓋２０の装着時に、突出部２２１の外壁面の一部２２１ａと孔部１１７の内壁面の一部１１７ａとが当接し、その当接側とは反対側に隙間が構成されるようになっている。
【００４５】
本実施形態でも電池蓋２０において突出部２２１よりも中央側の位置に、閉塞時に本体部１０の壁面（詳しくは、電池蓋２０側に臨む壁面１９）と当接する弾性当接部２７が設けられている。そして、弾性当接部２７による壁面１９との当接、及び突出部２２１による内壁面の一部１１７ａとの当接により、図６に示す嵌合状態で保持されることとなる。  
【００４６】
また、突出部２２１には、ゴム材料或いはゴム材料以外のエラストマー等からなる弾性変形部２２２が、当該突出部２２１の外郭部の一部として形成されている。弾性変形部２２２は、樹脂材料などからなる突出基部２２３に弾性材（上記ゴム材料或いはゴム材料以外のエラストマー等）を二重成形したものである。
【００４７】
この構成において、解除操作部１５（図１）によって解除操作がなされたとき、図７（ａ）に示すように、突出部２２１の一部が孔部１１７内に納まった状態で電池蓋２０が一端側（係合部１３側）から開放し、かつその開放途中において、突出部２２１に形成された弾性変形部２２２が孔部１１７の内壁と当接し、電池蓋２０が本体部１０に仮保持される。
【００４８】
本実施形態では、孔部１１７の内壁には凹部１１８が形成されており、弾性変形部２２２には、凹部１１８側に突出する凸部２２２ａが形成されている。図７（ａ）のように電池蓋２０が一端側から開放した際には、凸部２２２ａが凹部１１８内に進入すると共にこの凹部１１８の壁部に当接し、この凹部１１８によって係止されることで電池蓋２０が本体部１０に仮保持される。
【００４９】
本実施形態でも、孔部１１７の内壁には、凹部１１８が形成されており、弾性変形部２２２には、凹部１１８側に突出する凸部２２２ａが形成されている。電池蓋２０が一端側から開放した際に、凸部２２２ａが凹部１１８によって係止されることで電池蓋２０が本体部１０に仮保持されるようになっている。なお、突出部２２１は第２実施形態の突出部１２１（図４）と外形形状が近似しており、開放の際の凸部２２２ａと凹部１１８との係止は、第２実施形態で説明した凸部１２２ａと凹部１１８との係止と同様である（図５（ａ）参照）。また、電池蓋２０の離脱操作も第２実施形態の離脱操作と同様であり、係止状態から凸部２２２ａを強制的に弾性変形させるように電池蓋２０を引っ張ることで離脱させることができる。
【００５０】
本実施形態の構成によれば、第１及び第２実施形態と同様の効果を奏し、更に、電池蓋２０本体と一体形成された突出基部２２３に対して弾性材を二重成形して弾性変形部２２２を構成しているため、弾性変形部２２２が安定的かつ位置精度よく配されるという効果も得られる。
【００５１】
［他の実施形態]
本発明は上記記述及び図面によって説明した実施形態に限定されるものではなく、例えば次のような実施形態も本発明の技術的範囲に含まれる。
【００５２】
上記実施形態では、嵌合部としての突出部側に、弾性変形部を設け、被嵌合部としての孔部側の弾性変形部を設けない構成を例示したが、被嵌合部側に弾性変形部を形成してもよい。この場合、解除操作部によって係合解除がなされたとき、嵌合部と被嵌合部との嵌合が少なくとも一部において維持された状態で電池蓋が一端側から開放し、かつその開放途中において、被嵌合部側に形成された弾性変形部が嵌合部と当接し、電池蓋が本体部に仮保持されることとなる。
【００５３】
上記実施形態では、弾性変形部が突出部の外郭部の一部をなす構成を例示したが、突出部全体が弾性変形部として構成されていてもよい。
【００５４】
上記実施形態では、嵌合部を突出部として構成し、被嵌合部を孔部として形成したが、逆でもよい。即ち、嵌合部を孔部として構成し、被嵌合部を突出部として構成してもよい。
【図面の簡単な説明】
【００５５】
【図１】図１は、第１実施形態に係る携帯端末１の要部を概略的に示すものである。
【図２】図２は、図１の携帯端末１における突出部２１及び孔部１７付近を拡大して示す拡大図である。
【図３】図３は、電池蓋２０の開放の様子を説明する説明図であり、図３（ａ）は、仮保持状態を示す図であり、図３（ｂ）は、仮保持状態から更に変位させて仮保持を解除する様子を説明する説明図である。
【図４】図４は、第２実施形態の携帯端末における突出部１２１及び孔部１１７付近を拡大して示す拡大図である。
【図５】図５は、第２実施形態における電池蓋２０の開放の様子を説明する説明図であり、図５（ａ）は、仮保持状態を示す図であり、図５（ｂ）は、仮保持状態から更に変位させて仮保持を解除する様子を説明する説明図である。
【図６】図６は、第３実施形態の携帯端末における突出部２２１及び孔部１１７付近を拡大して示す拡大図である。
【図７】図７は、第３実施形態における電池蓋２０の開放の様子を説明する説明図であり、図７（ａ）は、仮保持状態を示す図であり、図７（ｂ）は、仮保持状態から更に変位させて仮保持を解除する様子を説明する説明図である。
【符号の説明】
【００５６】
１…携帯端末
１０…本体部
１１…収容部
１３…係合部
１５…解除操作部
１７，１１７…孔部（被嵌合部）
２０…電池蓋
２１，１２１，２２１…突出部（嵌合部）
２２，１２２，２２２…弾性変形部
３０…電池
１１８…凹部
１２２ａ，２２２ａ…凸部
２２３…突出基部
【図１】
2008262782.tif 000003
【図２】
2008262782.tif 000004
【図３】
2008262782.tif 000005
【図４】
2008262782.tif 000006
【図５】
2008262782.tif 000007
【図６】
2008262782.tif 000008
【図７】
2008262782.tif 000009